(57)【要約】【課題】従来のものと比べてセキュリティ効果の高い、電子錠制御装置を提供する。【解決手段】携帯端末を用いて行う操作の内容を提示する操作内容表示部１１ｂと、携帯端末を用いて行われた操作の内容を含む操作データを、所定の通信回線Ｎを介して携帯端末から受信し、受信した操作データに含まれる操作の内容が、操作内容表示部１１ｂが提示した操作の内容と一致するか否かに従って、電子錠を制御する操作判別部１１ｃを備える電子錠制御装置１０である。【選択図】図２
2012237158.tif 000002
【特許請求の範囲】
【請求項１】
携帯端末を用いて行う操作の内容を提示する操作内容提示手段と、
前記携帯端末を用いて行われた操作の内容を含む操作データを、所定の通信回線を介して前記携帯端末から受信し、受信した前記操作データに含まれる前記操作の内容が、前記操作内容提示手段が提示した前記操作の内容と一致するか否かに従って、電子錠を制御する操作判別手段と、を備える、
ことを特徴とする電子錠制御装置。
【請求項２】
前記携帯端末の現在位置を含む位置データを、所定の通信回線を介して前記携帯端末から受信し、受信した前記位置データに含まれる前記携帯端末の現在位置が、自身の装置の位置と一致するか否かを判別する位置判別手段をさらに備え、
前記操作内容提示手段は、前記位置判別手段の判別結果に従って、前記携帯端末を用いて行う操作の内容を提示する、
ことを特徴とする請求項１に記載の電子錠制御装置。
【請求項３】
前記操作の内容を表す提示データと、前記提示データにより表される操作の内容を識別する識別データとを互いに対応付けた動作データを、前記操作の内容毎に、予め記録した動作データ記憶手段を備え、
前記操作内容提示手段は、前記動作データ記憶手段から前記提示データを指定して前記操作の内容を提示するとともに、前記提示データに対応付けられた識別データを保持し、
前記操作判別手段は、前記携帯端末から受信した前記操作データに前記操作内容提示手段が保持した前記識別データが含まれているか否かに従って、前記電子錠を制御する、
ことを特徴とする請求項１または２に記載の電子錠制御装置。
【請求項４】
携帯端末と、前記携帯端末を用いて電子錠を制御する電子錠制御装置とを備えた電子錠制御システムであって、
前記携帯端末は、前記携帯端末を用いて行った操作の内容を特定し、特定した前記操作の内容を含む操作データを送信する操作内容特定手段を備え、
前記電子錠制御装置は、
携帯端末を用いて行う操作の内容を提示する操作内容提示手段と、
前記操作データを、所定の通信回線を介して前記携帯端末から受信し、受信した前記操作データに含まれる前記操作の内容が、操作内容提示手段が提示した前記操作の内容と一致するか否かに従って、電子錠を制御する操作判別手段と、を備える、
ことを特徴とする電子錠制御システム。
【請求項５】
携帯端末を用いて行う操作の内容を提示する操作内容提示ステップと、
前記携帯端末を用いて行われた操作の内容を含む操作データを、所定の通信回線を介して前記携帯端末から受信し、受信した前記操作データに含まれる前記操作の内容が、前記操作内容提示ステップで提示した前記操作の内容と一致するか否かに従って、電子錠を制御する操作判別ステップと、を有する、
ことを特徴とする電子錠制御方法。
【請求項６】
コンピュータに、
携帯端末を用いて行う操作の内容を提示する操作内容提示手順と、
前記携帯端末を用いて行われた操作の内容を含む操作データを、所定の通信回線を介して前記携帯端末から受信し、受信した前記操作データに含まれる前記操作の内容が、前記操作内容提示手順で提示した前記操作の内容と一致するか否かに従って、電子錠を制御する操作判別手順と、を実行させる、
ことを特徴とするプログラム。
【発明の詳細な説明】
【技術分野】
【０００１】
本発明は、携帯端末との間で通信を行って電子錠を制御する電子錠制御装置、電子錠制御システム、電子錠制御方法及びプログラムに関する。
【背景技術】
【０００２】
携帯端末との間で通信を行って電子錠を制御する技術として、特許文献１に開示された電子錠制御装置が知られている。この電子錠制御装置には、電子錠の解錠に用いられる携帯端末の識別符号が予め記録されている。電子錠制御装置は、携帯端末との間で赤外線等を用いた通信を行い、これによって携帯端末の識別符号を受信する。電子錠制御装置は、受信した携帯端末の識別符号が、予め記録された識別符号と一致するか否かに従って、電子錠を解錠する制御を行っている。
【先行技術文献】
【特許文献】
【０００３】
【特許文献１】特開２００２−３３９６０８号公報
【発明の概要】
【発明が解決しようとする課題】
【０００４】
しかしながら、上記特許文献１の電子錠制御装置は、赤外線通信が行われる位置に別の赤外線通信機が取り付けられる等して、電子錠の解錠に用いられる携帯端末の識別符号が第三者に盗用されるおそれがあった。
【０００５】
本発明は、このような問題に鑑みてなされたものであり、従来のものと比べてセキュリティ効果の高い、電子錠制御装置、電子錠制御システム、電子錠制御方法及びプログラムを提供することを目的とする。
【課題を解決するための手段】
【０００６】
本発明の第１の観点に係る電子錠制御装置は、
携帯端末を用いて行う操作の内容を提示する操作内容提示手段と、
前記携帯端末を用いて行われた操作の内容を含む操作データを、所定の通信回線を介して前記携帯端末から受信し、受信した前記操作データに含まれる前記操作の内容が、前記操作内容提示手段が提示した前記操作の内容と一致するか否かに従って、電子錠を制御する操作判別手段と、を備えることを特徴とする。
【０００７】
本発明の第２の観点に係る電子錠制御システムは、
携帯端末と、前記携帯端末を用いて電子錠を制御する電子錠制御装置とを備えた電子錠制御システムであって、
前記携帯端末は、前記携帯端末を用いて行った操作の内容を特定し、特定した前記操作の内容を含む操作データを送信する操作内容特定手段を備え、
前記電子錠制御装置は、
携帯端末を用いて行う操作の内容を提示する操作内容提示手段と、
前記操作データを、所定の通信回線を介して前記携帯端末から受信し、受信した前記操作データに含まれる前記操作の内容が、操作内容提示手段が提示した前記操作の内容と一致するか否かに従って、電子錠を制御する操作判別手段と、を備えることを特徴とする。
【０００８】
本発明の第３の観点に係る電子錠制御方法は、
携帯端末を用いて行う操作の内容を提示する操作内容提示ステップと、
前記携帯端末を用いて行われた操作の内容を含む操作データを、所定の通信回線を介して前記携帯端末から受信し、受信した前記操作データに含まれる前記操作の内容が、前記操作内容提示ステップで提示した前記操作の内容と一致するか否かに従って、電子錠を制御する操作判別ステップと、を有することを特徴とする。
【０００９】
本発明の第４の観点に係るプログラムは、
コンピュータに、
携帯端末を用いて行う操作の内容を提示する操作内容提示手順と、
前記携帯端末を用いて行われた操作の内容を含む操作データを、所定の通信回線を介して前記携帯端末から受信し、受信した前記操作データに含まれる前記操作の内容が、前記操作内容提示手順で提示した前記操作の内容と一致するか否かに従って、電子錠を制御する操作判別手順と、を実行させることを特徴とする。
【発明の効果】
【００１０】
本発明によれば、従来のものと比べてセキュリティ効果の高い、電子錠制御装置、電子錠制御システム、電子錠制御方法及びプログラムを提供することができる。
【図面の簡単な説明】
【００１１】
【図１】本発明の一実施形態に係る電子錠制御システムの概略を示す図である。
【図２】本発明の一実施形態に係る電子錠制御装置の構成を示すブロック図である。
【図３】本発明の一実施形態に係る携帯端末の構成を示すブロック図である。
【図４】本発明の一実施形態に係る電子錠制御装置の記憶部に記録された携帯端末データの構成を示す図である。
【図５】本発明の一実施形態に係る電子錠制御装置の記憶部に記録された動作データの構成を示す図である。
【図６】本発明の一実施形態に係る携帯端末の記憶部に記録された制御装置データの構成を示す図である。
【図７】本発明の一実施形態に係る携帯端末の記憶部に記録された動作データの構成を示す図である。
【図８】本発明の一実施形態に係る電子錠制御処理の手順を示すフロー図である。
【図９】本発明の一実施形態に係る電子錠制御装置が行う電子錠制御処理の手順を示すフロー図である。
【図１０】本発明の一実施形態に係る電子錠制御装置の表示部に表示される、エラーメッセージの画面を示す図である。
【図１１】本発明の一実施形態に係る電子錠制御装置の表示部に表示される、各種の操作内容を表す画面を示す図である。
【図１２】本発明の一実施形態に係る携帯端末の表示部に表示される、操作内容の特定結果の画面を示す図である。
【図１３】本発明の一実施形態に係る携帯端末の表示部に表示される、全ての操作が終了したか否かを確認させる画面を示す図である。
【図１４】本発明の一実施形態に係る電子錠制御装置の表示部に表示される、認証が成功した場合のメッセージの画面を示す図である。
【図１５】本発明の別の実施形態に係る電子錠制御装置の表示部に表示される、各種の操作内容を表す画面を示す図である。
【発明を実施するための形態】
【００１２】
以下、図面を参照して、本発明の実施形態に係る電子錠制御装置、電子錠制御システム、電子錠制御方法及びプログラムを説明する。
【００１３】
図１を参照して、本実施形態に係る電子錠制御システム１を説明する。電子錠制御システム１は、屋内のドアＤ付近に設置された電子錠ＥＬを制御するシステムである。電子錠制御システム１は、電子錠制御装置１０と、携帯端末２０とを備える。
【００１４】
電子錠制御装置１０は、電子錠ＥＬを制御する装置である。電子錠制御装置１０には、電子錠ＥＬの解錠に用いられる携帯端末２０の情報（例えば電話番号）が予め記録されている。電子錠制御装置１０は、利用者Ｍにより電子錠ＥＬの解錠が要求された際に、携帯端末２０と所定の回線網Ｎを介して携帯端末２０の認証を行う。電子錠制御装置１０は、その認証結果に従って、電子錠ＥＬを解錠する制御を行う。
【００１５】
電子錠制御装置１０は、屋外の設備１０ａと、屋内の設備１０ｂとに分けられて構成される。屋外の設備１０ａは、利用者Ｍが利用する設備である。一方、屋内の設備１０ｂは、電子錠ＥＬの制御に用いられる設備である。
【００１６】
電子錠制御装置１０は、図２に示すように、制御部１１と、記憶部１２と、操作部１３と、表示部１４と、通信部１５と、電子錠駆動部１６とを備える。図１に示す屋外設備１０ａは、操作部１３及び表示部１４によって構成される。一方、屋内設備１０ｂは、制御部１１、記憶部１２、通信部１５及び電子錠駆動部１６によって構成される。
【００１７】
制御部１１は、電子錠制御装置１０の全体を制御する。制御部１１は、物理的には、例えば、ＣＰＵ(Central Processing Unit)、ＣＰＵのメインメモリとして機能するＲＡＭ(Random Access Memory)等から構成される。なお、制御部１１は、一部がＡＳＩＣ(Application Specific Integrated Circuit)等の専用回路から構成されてもよい。
【００１８】
また、制御部１１は、機能的には、位置判別部１１ａと、操作内容表示部１１ｂと、操作判別部１１ｃとを備える。位置判別部１１ａ、操作内容表示部１１ｂ、及び操作判別部１１ｃは、それぞれ制御部１１を構成するＣＰＵが記憶部１２に記録されたプログラム１２ａを実行することにより実現される。
【００１９】
位置判別部１１ａは、記憶部１２に記録された携帯端末データ１２ｂに対応する携帯端末２０の位置を問い合わせ、携帯端末２０の位置が、電子錠制御装置１０と同じ位置にあるか否かを判別する処理を行う。
【００２０】
操作内容表示部１１ｂは、携帯端末２０を用いて行う操作の内容を、記憶部１２に記録された動作データ１２ｃから選択し、選択した操作の内容を表示部１４に表示させる処理を行う。
【００２１】
操作判別部１１ｃは、携帯端末２０から受信した操作データを受け取り、受け取った操作データに含まれる操作情報により表される操作の内容が、操作内容表示部１１ｂが表示部１４に表示した操作の内容と一致するか否かを判別する処理を行う。操作判別部１１ｃは、その判別結果に従って、電子錠駆動部１６を制御し、電子錠ＥＬを解錠する処理を行う。
【００２２】
記憶部１２は、ＣＰＵが実行するプログラム１２ａ、携帯端末データ１２ｂ、動作データ１２ｃ等、各種プログラム及びデータ等を記録する。記憶部１２は、例えば、ＲＯＭ(Read Only Memory)やフラッシュメモリ等の不揮発性メモリによって構成される。なお、携帯端末データ１２ｂ及び動作データ１２ｃの詳細については後述する。
【００２３】
操作部１３は、利用者Ｍの操作を受け付ける。操作部１３は、受け付けた操作に対応する操作信号を制御部１１（位置判別部１１ａ）に供給する。操作部１３は、例えば、押圧で作動する押しボタンスイッチ等のユーザインタフェース装置によって構成される。
【００２４】
表示部１４は、制御部１１から供給される各種画像データ等に基づいて各種画像を画面に表示させる。表示部１４は、例えば、液晶表示装置、有機ＥＬ(Electro Luminescence)表示装置等によって構成される。
【００２５】
なお、操作部１３と表示部１４とは、タッチパネルによって構成されても良い。タッチパネルは、所定の操作を受け付ける画面を表示すると共に、画面にユーザが接触した位置に対応する操作信号を制御部１１に供給する。
【００２６】
通信部１５は、制御部１１（位置判別部１１ａまたは操作判別部１１ｃ）の制御のもと、回線網Ｎを介して携帯端末２０と通信を行う。通信部１５は、ネットワークアダプタ等の通信インタフェース装置によって構成される。なお、通信部１５と回線網Ｎとの接続は、有線、無線の何れでも良い。
【００２７】
なお、回線網Ｎは、例えば、ＬＡＮ(Local Area Network)、回線交換網、パケット交換網、インターネット、専用線網等が用いられる。
【００２８】
電子錠駆動部１６は、制御部１１（操作判別部１１ｃ）の制御のもと駆動し、電子錠ＥＬを解錠／施錠する。電子錠駆動部１６は、モータやソレノイドによって構成される。
【００２９】
つづいて、図３を参照して、図１に示した携帯端末２０の構成を説明する。携帯端末２０は、携帯電話、スマートフォン（Smartphone）、ＰＨＳ（Personal Handy-phone System）、ＰＤＡ（Personal Digital Assistant）などの携帯可能な端末である。携帯端末２０は、制御部２１と、記憶部２２と、操作部２３と、表示部２４と、通信部２５と、センサ部２６とを備える。
【００３０】
制御部２１は、携帯端末２０の全体を制御する。制御部２１は、物理的には、例えば、ＣＰＵ、ＣＰＵのメインメモリとして機能するＲＡＭ等から構成される。なお、制御部２１は、一部がＡＳＩＣ等の専用回路から構成されてもよい。
【００３１】
また、制御部２１は、機能的には、操作内容特定部２１ａを備える。操作内容特定部２１ａは、制御部２１を構成するＣＰＵが記憶部２２に記録されたプログラム２２ａを実行することにより実現される。
【００３２】
操作内容特定部２１ａは、記憶部２２に記録された動作データ２２ｃを用いて、利用者Ｍが携帯端末２０を用いて行った操作の内容を特定する処理を行う。
【００３３】
記憶部２２は、ＣＰＵが実行するプログラム２２ａ、制御装置データ２２ｂ、動作データ２２ｃ等、各種プログラム及びデータ等を記録する。記憶部２２は、例えば、ＲＯＭやフラッシュメモリ等の不揮発性メモリによって構成される。なお、制御装置データ２２ｂ及び動作データ２２ｃの詳細については後述する。
【００３４】
操作部２３は、利用者Ｍの操作を受け付ける。操作部２３は、受け付けた操作に対応する操作信号を制御部２１に供給する。操作部２３は、複数の操作キーを含むユーザインタフェース装置によって構成される。複数の操作キーには、電源キー、メニューキー、通話開始及び終了キー等がある。
【００３５】
表示部２４は、制御部２１から供給される各種画像データ等に基づいて各種画像を画面に表示する。表示部２４は、例えば、液晶表示装置、有機ＥＬ表示装置等が用いられる。
【００３６】
なお、操作部２３と表示部２４とは、タッチパネルによって構成されても良い。タッチパネルは、所定の操作を受け付ける画面を表示すると共に、画面にユーザが接触した位置に対応する操作信号を制御部２１に供給する。
【００３７】
通信部２５は、制御部２１（操作内容特定部２１ａ）の制御のもと、回線網Ｎを介して電子錠制御装置１０と通信を行う。通信部２５は、ネットワークアダプタ等の通信インタフェース装置によって構成される。
【００３８】
センサ部２６は、携帯端末２０の動作変化を検出するセンサである。具体的には、センサ部２６は、外力が働いた場合に携帯端末２０に生じる加速度の変化や磁気変化等の動作変化を検出する。携帯端末２０が前後、上下、左右、あるいは回転等の様々な方向に動作されると、センサ部２６は、検出した動作変化に対応する動作変化信号を操作内容特定部２１ａに供給する。センサ部２６は、モーションセンサ等によって構成される。
【００３９】
次に、図４を参照して、図２に示した電子錠制御装置１０の記憶部１２に記録された携帯端末データ１２ｂの構成を説明する。
【００４０】
携帯端末データ１２ｂは、登録台数と、携帯端末番号と、制御装置番号と、制御装置位置情報とを互いに対応付けて構成したデータである。電子錠制御装置１０は、この携帯端末データ１２ｂを参照して、通信を行う相手となる携帯端末２０を指定し、回線網Ｎを介して、携帯端末２０と通信を行う。
【００４１】
登録台数は、電子錠ＥＬの解錠に用いられる携帯端末の台数を表す。以下の説明においては、理解を容易にするため、電子錠制御装置１０に記録された携帯端末の登録台数は１台であるとして説明する。携帯端末番号は、携帯端末２０の電話番号（「09087654321」）である。制御装置番号は、電子錠制御装置１０の電話番号（「09012345678」）である。制御装置位置情報は、電子錠制御装置１０の位置を表す情報である。
【００４２】
ここで制御装置位置情報は、例えば、電子錠制御装置１０の最寄りの基地局の番号（基地局番号）を用いる。基地局番号は、通信部１５がパイロット信号を用いて最寄りの基地局を検索する無線通信を行うことにより得られる。また、制御装置位置情報は、基地局番号以外に、複数の基地局により構成される位置登録エリアの番号を用いても良い。
【００４３】
次に、図５を参照して、図２に示した電子錠制御装置１０の記憶部１２に記録された動作データ１２ｃの構成を説明する。
【００４４】
動作データ１２ｃは、データ番号と、動作コードと、表示データとを互いに対応付けて構成したデータである。
【００４５】
データ番号は、記憶部１２に動作コード及び表示データを対応付けた（組にした）データが記録された順に付される番号である。動作コードは、携帯端末２０を用いて行う操作の内容を識別する符号であり、動作毎に付される。表示データは、携帯端末２０を用いて行う操作の内容を静止画や動画で表す画像データである。
【００４６】
次に、図６を参照して、図３に示した携帯端末２０の記憶部２２に記録された制御装置データ２２ｂの構成を説明する。
【００４７】
制御装置データ２２ｂは、登録台数と、制御装置番号と、携帯端末番号と、携帯端末位置情報とを互いに対応付けて構成したデータである。携帯端末２０は、この制御装置データ２２ｂを参照して、通信を行う相手の電子錠制御装置１０を指定し、回線網Ｎを介して、電子錠制御装置１０と通信を行う。
【００４８】
登録台数は、電子錠制御装置の台数を表す。以下の説明においては、理解を容易にするため、携帯端末２０に記録された電子錠制御装置の登録台数は１台であるとして説明する。制御装置番号は、電子錠制御装置１０の電話番号（「09012345678」）である。携帯端末番号は、携帯端末２０の電話番号（「09087654321」）である。携帯端末位置情報は、携帯端末２０の位置を表す情報である。
【００４９】
携帯端末位置情報は、図４に示した制御装置位置情報と同様、携帯端末２０の最寄りの基地局の番号（基地局番号）を用いる。なお、携帯端末２０は、電源がオンになったとき、移動したとき等に、通信部２５がパイロット信号を用いて最寄りの基地局を検索する無線通信を行い、記録された携帯端末位置情報を更新する。なお、携帯端末位置情報は、基地局番号以外に、複数の基地局により構成される位置登録エリアの番号を用いても良い。
【００５０】
次に、図７を参照して、図３に示した携帯端末２０の記憶部２２に記録された複数の動作データ２２ｃの構成を説明する。
【００５１】
動作データ２２ｃは、データ番号と、動作コードと、動作変化値と、表示データとを互いに対応付けて構成したデータである。携帯端末２０は、この動作データ２２ｃを参照して、携帯端末２０を用いて行った利用者Ｍの操作の内容を特定する。
【００５２】
データ番号は、記憶部２２に、動作コード、操作値／動作変化値及び表示データを組にしたデータが記録された順に付される番号である。動作コードは、携帯端末２０を用いて行う操作の内容を識別する符号であり、動作毎に付される。動作コードは、電子錠制御装置１０の記憶部１２に記録された動作データ１２に含まれる動作コードと一致する。操作値／動作変化値は、動作コードに対応する動作を携帯端末２０が行った場合に、操作部２３から受け取る操作信号またはセンサ部２６から受け取る動作変化信号を基にそれぞれ算出された値である。表示データは、携帯端末２０を用いて行う操作の内容を静止画や動画で表す画像データである。
【００５３】
上記構成を有する位置検出システム１について、以下、図８を参照して動作を説明する。なお、ここでは、図１に示した利用者Ｍが所有する携帯端末２０は、記憶部１２に記録された携帯端末データ１２ｂに対応するものとして説明する。
【００５４】
電子錠制御装置１０の制御部１１（ＣＰＵ）は、例えば、電子錠制御装置１０の電源がオンになったことに従って、記憶部１２に記録されたプログラム１２ａを読み出し、実行する。
【００５５】
位置判別部１１ａは、利用者Ｍによって、電子錠ＥＬの解錠が要求されたか否かを判別する（ステップＳ０１）。利用者Ｍは、操作部１３を用いて、電子錠ＥＬの解錠を要求する操作を行う。操作部１３は、利用者Ｍから受け付けた電子錠ＥＬの解錠を要求する操作に対応する操作信号を位置判別部１１ａに供給する。これにより、位置判別部１１ａは、電子錠ＥＬの解錠が要求されたと判別する。つまり、位置判別部１１ａは、利用者Ｍによって解錠要求がされるまで待機状態となる（ステップＳ０１；Ｎｏ）。
【００５６】
位置判別部１１ａは、電子錠ＥＬの解錠が要求されたと判別すると（ステップＳ０１；Ｙｅｓ）、記憶部１２に記録された携帯端末データ１２ｂを読み出す。位置判別部１１ａは、読み出した携帯端末データ１２ｂに含まれる携帯端末番号（「09087654321」）を指定し、指定した携帯端末番号に対応する携帯端末２０の位置を問い合わせる（ステップＳ０２）。位置判別部１１ａは、指定した相手（送信先）の携帯端末番号（「09087654321」）、自身（送信元）の制御装置番号（「09012345678」）、位置を問い合わせる旨を示すコードを含む位置問い合わせデータを生成する。通信部１５は、位置判別部１１ａの制御のもと、位置判別部１１ａが生成した位置問い合わせデータを回線網Ｎに送信する。
【００５７】
なお、位置判別部１１ａは、電子錠ＥＬの解錠が要求されたと判別したとき、表示部１４を制御し、表示部１４の画面に「携帯端末の電源をオンにしてください」といった文字メッセージ等を表示すると良い。これにより、利用者Ｍに自身が所有する携帯端末２０の電源をオンにするように促すことができ、携帯端末２０（通信部２５）は、通信部１５が送信した位置問い合わせデータを受信できる状態にすることができる。
【００５８】
利用者Ｍが所有する携帯端末２０の電源がオンになっている場合、携帯端末２０の通信部２５は、通信部１５が送信した位置問い合わせデータを受信する。通信部２５は、受信した位置問い合わせデータを制御部２１に供給する。
【００５９】
制御部２１は、通信部２５から位置問い合わせデータを受け取ると、記憶部２２に記録された制御装置データ２２ｂを読み出す。制御部２１は、位置問い合わせデータに含まれる制御装置番号（「09012345678」）が、読み出した携帯端末データ２２ｂに含まれる制御装置番号にあるか否かを判別する。携帯端末データ２２ｂに、位置問い合わせデータに含まれる制御装置番号と同じ「09012345678」があれば、制御部２１は、あると判別する。
【００６０】
この判別結果に従って、判別部２１は、自身（送信元）の携帯端末番号（「09012345678」）、相手（送信先）の制御装置番号（「09012345678」）、制御装置データ２２ｂに含まれる携帯端末位置情報（「基地局番号１」）、位置の応答を行う旨を示すコードを含む位置応答データを生成する。制御部２１は、通信部２５を用いて、生成した位置応答データを回線網Ｎに送信させる制御を行う。
【００６１】
一方、電子錠制御装置１０の位置判別部１１ａは、ステップＳ０２で位置問い合わせデータを送信した後、所定の周期で、位置応答データを受信したか否かを判別する（ステップＳ０３）。
【００６２】
位置判別部１１ａは、位置応答データを受信していないと判別すると（ステップＳ０３；Ｎｏ）、所定時間（例えば１０秒）が経過したか否かを判別する（ステップＳ０６）。所定時間が経過していない場合、位置判別部１１ａは、ステップＳ０３に戻る。つまり、位置問い合わせデータを送信後、位置判別部１１ａは、位置応答データを受信するか、または、所定時間を経過するまで待機状態となる。
【００６３】
位置判別部１１ａは、携帯端末２０が送信した上記の位置応答データを通信部１５が受信したと判別すると（ステップＳ０３；Ｙｅｓ）、位置応答データに含まれる携帯端末位置情報（「基地局番号１」）が、上記の携帯端末データ１２ｂに含まれる制御装置位置情報（「基地局番号１」）と一致するか否かを判別する（ステップＳ０４）。ここでは、携帯端末位置情報と制御装置位置情報とは互いに一致するので、位置判別部１１ｂは、一致すると判別し（ステップＳ０４；Ｙｅｓ）、ステップＳ０５に進む。つまり、この場合、互いに位置情報が一致するので、予め記録した携帯端末データ１２ｂに対応する携帯端末２０が自身の装置１０と同じ位置にいる可能性はあるが確実とはいえない。よって、電子錠制御装置１０は、ステップＳ０５以降の処理を行うことにより、携帯端末２０の認証を行う。
【００６４】
一方、位置判別部１１ａは、ステップＳ０４で携帯端末位置情報と制御装置位置情報とが互いに一致しないと判別すると（ステップＳ０４；Ｎｏ）、表示部１４を制御し、図１０に示すように、表示部１４の画面に「認証できませんでした」等のエラーメッセージを表示させる（ステップＳ０７）。この場合は、互いに位置情報が一致しないので、予め記録した携帯端末データ１２ｂに対応する携帯端末２０が自身の装置１０と同じ位置にいないので、電子錠ＥＬは解錠されない。その後、位置判別部１１ａは、ステップＳ０１に戻り、上記と同様の処理を行う。
【００６５】
また、位置判別部１１ａは、ステップＳ０６で所定時間が経過したと判別すると（ステップＳ０６；Ｙｅｓ）、上記と同様に、表示部１４を制御し、図１０に示すように、表示部１４の画面に「認証できませんでした」等のエラーメッセージを表示させる（ステップＳ０７）。この場合は、位置応答データが受信できず、予め記録した携帯端末データ１２ｂに対応する携帯端末２０が自身の電子制御装置１０と同じ位置にいるか否かを判別できないので、電子錠ＥＬは解錠されない。その後、位置判別部１１ａは、ステップＳ０１に戻り、上記と同様の処理を行う。なお、この場合の原因としては、例えば、携帯端末２０の電源がオフの場合や、利用者Ｍの諸事情により携帯端末２０のサービスが中断されている場合等が考えられる。
【００６６】
ステップＳ０５において、操作内容表示部１１ｂは、記憶部１２に記録された複数の動作データ１２ｃを読み出す。操作内容表示部１１ｂは、読み出した複数の動作データ１２ｃから、所定数の動作コードを所定の選択方式によって指定する。例えば、ここでは、操作内容表示部１１ｂは、三つの動作コードをランダムに指定する。例えば、指定した動作コードは、「動作コード５０」、「動作コードＡ４」、「動作コード１３」であったとする。操作内容表示部１１ｂは、指定した三つの動作コードにそれぞれ対応付けられた三つの表示データを取り出す。操作内容表示部１１ｂは、指定した全て（上記の例では三つ）の動作コードを保持する。この動作コードは、後述のステップＳ０９で操作内容が一致するか否かの判別を行う際に用いられる。
【００６７】
また、操作内容表示部１１ｂは、表示部１４を制御し、取り出した三つの表示データにより表される画像等（操作内容）を表示部１４の画面に表示させる（ステップＳ０５）。上記の例では、最初の動作コードが「携帯端末２０の上下方向の軸を反時計回りに回転させる」操作の内容、２番目の動作コードが「携帯端末２０のテンキー“５”を入力する」操作の内容、最後の動作コードが「携帯端末２０を左方向に平行移動させる」操作の内容を示すものである場合、表示部１４の画面には、図１１（ａ）〜（ｃ）に示すように、それぞれの操作の内容を表した各画像及び文字メッセージが順次表示される。
【００６８】
利用者Ｍは、表示部１４の画面に表示された各画像等を確認することにより、携帯端末２０を用いて行う操作の内容を理解する。また、利用者Ｍは、携帯端末２０の操作部２３を用いて、記憶部２２に記録されたプログラム２２ａを読み出して実行する操作を行う。
【００６９】
操作部２３は、利用者Ｍの操作に対応する操作信号を制御部２１に供給する。制御部２１は、記憶部２２に記録されたプログラム２１ａを読み出し、実行する。
【００７０】
以下、図９を参照して、制御部２１が実行する操作内容特定処理を説明する。
【００７１】
操作内容特定部２１ａは、携帯端末２０を用いて操作が行われたか否かを判別する。利用者Ｍが操作部２３を用いて操作を行うと、操作部２３は、操作に対応する操作信号を操作内容特定部２１ａに供給する。センサ部２６は、携帯端末２０に外力が働くと動作変化を検出する。センサ部２６は、検出した動作変化に対応する動作変化信号を操作内容特定部２１ａに供給する。操作内容特定部２１ａは、操作信号または動作変化信号を受け取ると、携帯端末２０を用いて操作が行われたと判別する（ステップＳ１０１；Ｙｅｓ）。つまり、操作内容特定部２１ａは、利用者Ｍによって携帯端末２０を用いた操作が行われるまで待機状態となる（ステップＳ１０１；Ｎｏ）。
【００７２】
操作内容特定部２１ａは、ステップＳ１０１で携帯端末２０を用いた操作が行われたと判別すると、その操作の内容を表示する（ステップＳ１０２）。具体的には、上記の例では、利用者Ｍは、最初に「携帯端末２０の上下方向の軸を反時計回りに回転させる」操作を行う。センサ部２６は、この操作によって携帯端末２０の動作変化を検出し、検出した動作変化に対応する動作変化信号を操作内容特定部２１ａに供給する。操作内容特定部２１ａは、受け取った動作変化信号を基に動作変化値を算出する（例えば「動作変化値５０」が算出される）。
【００７３】
また、操作内容特定部２１ａは、記憶部２２に記録された動作データ２２ｃを読み出す。操作内容特定部２１ａは、算出した動作変化値（例えば「動作変化値５０」）に対応付けられた表示データ（例えば「表示データ５０」）を取り出す。操作内容特定部２１ａは、表示部２４を制御し、取り出した表示データにより表される画像等を表示部２４の画面に表示させる。例えば、図１２（ａ）に示すように、表示部２４の画面には、「携帯端末２０の上下方向の軸を反時計回りに回転？」という文字メッセージと、その操作内容が正しいか否かを利用者Ｍに選択させる画像（「Ｙｅｓ」，「Ｎｏ」）等が表示される。
【００７４】
利用者Ｍは、表示部２４の画面に表示された文字メッセージ等から利用者Ｍの操作の内容を確認する。利用者Ｍは、携帯端末２０の操作部２３を用いて、表示部２４の画面に表示された操作内容が正しいか否かを選択する操作を行う。操作内容特定部２１ａは、利用者Ｍの選択に従って誤っていると判別した場合（ステップＳ１０３；Ｎｏ）、利用者Ｍに再操作を促す文字メッセージ等を表示し、上記ステップＳ１０１に戻る。
【００７５】
一方、正しいと判別した場合（ステップＳ１０３；Ｙｅｓ）、操作内容特定部２１ａは、表示部２４の画面表示に用いた表示データに対応付けられた動作コード（例えば「動作コード５０」）を取り出して操作内容を保持する（ステップＳ１０４）。
【００７６】
その後、操作内容特定部２１ａは、全ての操作が終了したか否かを判別する（ステップＳ１０５）。具体的には、操作内容特定部２１ａは、表示部２４を制御し、例えば、図１３に示すように、表示部２４の画面に、「全ての操作が終了？」という文字メッセージと、利用者Ｍに選択させる画像（「Ｙｅｓ」，「Ｎｏ」）等が表示させる。
【００７７】
利用者Ｍは、表示部２４の画面に表示された文字メッセージ等を確認し、携帯端末２０の操作部２３を用いて、全ての操作が終了したか否かを選択する操作を行う。操作内容特定部２１ａは、利用者Ｍの選択に従って全ての操作が終了していないと判別した場合（ステップＳ１０５；Ｎｏ）、利用者Ｍに次の操作を促す文字メッセージ等を表示し、上記ステップＳ１０１に戻る。具体的には、上記の例では、「携帯端末２０のテンキー“５”を入力する」操作及び「携帯端末２０を左方向に平行移動させる」操作の二つの操作が残っているので、利用者Ｍは、これらの操作を行う必要がある。
【００７８】
利用者Ｍは、これらの二つの操作を上記と同様に、順次行い、図１２（ｂ）及び（ｃ）に示す文字メッセージ等を確認して、操作内容を特定する操作を、操作部２３を用いて行う。利用者の操作に従って、操作内容特定部２１ａは、動作変化値を順次算出し、算出した動作変化値に対応する二つの動作コード（例えば「動作コードＡ４」、「動作コード１３」）を順次取り出して操作内容を保持する。
【００７９】
そして、利用者Ｍの選択に従って操作内容特定部２１ａが全ての操作が終了したと判別した場合（ステップＳ１０５；Ｙｅｓ）、操作内容特定部２１ａは、操作データを生成する。操作データは、自身（送信元）の携帯端末番号（「09012345678」）、相手（送信先）の制御装置番号（「09012345678」）、全ての操作に対応する保持した動作コード（「動作コード５０」、「動作コードＡ４」、「動作コード１３」）、及び操作データの送信を行う旨を示すコードを含む。操作内容特定部２１ａは、通信部２５を用いて、生成した操作データを回線網Ｎに送信させる制御を行う（ステップＳ１０６）。以上により、操作内容特定部２１ａは、操作内容の特定処理を終了する。
【００８０】
図８に戻って、電子錠制御装置１０の操作判別部１１ｃは、操作内容表示部１１ｂがステップＳ０５で表示部１４の画面に操作内容（画像等）を表示させた後、所定の周期で、操作データを受信したか否かを判別する（ステップＳ０８）。
【００８１】
操作判別部１１ｃは、操作データを受信していないと判別すると（ステップＳ０８；Ｎｏ）、所定時間（例えば２分）が経過したか否かを判別する（ステップＳ１１）。所定時間が経過していない場合、操作判別部１１ｃは、ステップＳ０８に戻る。つまり、操作内容を表示した後、操作判別部１１ｃは、操作データを受信するか、または、所定時間を経過するまで待機状態となる。
【００８２】
操作判別部１１ｃは、携帯端末２０が送信した上記の操作データを通信部１５が受信したと判別すると（ステップＳ０８；Ｙｅｓ）、操作データに含まれる全ての動作コード（「動作コード５０」、「動作コードＡ４」、「動作コード１３」）を取り出す。操作判別部１１ｃは、操作内容表示部１１ｂがステップＳ０５で保持した動作コード（「動作コード５０」、「動作コードＡ４」、「動作コード１３」）が、操作データから取り出した全ての動作コード（「動作コード５０」、「動作コードＡ４」、「動作コード１３」）と一致するか否かを比較する。操作判別部１１ｃは、その比較結果に従って、表示部１４に表示された操作の内容と、携帯端末２０を用いて行われた操作の内容とが一致するか否かを判別する（ステップＳ０９）。
【００８３】
ここでは、操作内容表示部１１ｂが保持した全ての動作コードと、操作データに含まれる全ての動作コードとは互いに一致するので、操作判別部１１ｃは、一致すると判別する（ステップＳ０９；Ｙｅｓ）。これに従って、操作判別部１１ｃは、解錠を要求した利用者Ｍが所有する携帯端末２０が、予め記録した携帯端末データ１２ｂに対応する携帯端末２０であることを認証し、電子錠駆動部１６を制御し、電子錠駆動部１６に電子錠ＥＬの解錠を行わせる（ステップＳ１０）。また、このとき、操作判別部１１ｃは、表示部１４を制御し、図１４に示すように、表示部１４の画面に「認証できました。解錠します。」といった文字メッセージ等を表示すると良い。これにより、利用者Ｍは、携帯端末２０の認証が成功し、電子錠ＥＬが解錠されることを確認できる。
【００８４】
一方、操作判別部１１ｃは、ステップＳ０９で操作内容が互いに一致しないと判別すると（ステップＳ０９；Ｎｏ）、表示部１４を制御し、図１０に示すように、表示部１４の画面に「認証できませんでした」等のエラーメッセージを表示させる（ステップＳ１２）。この場合は、携帯端末２０の認証が失敗したため、電子錠ＥＬは解錠されない。その後、操作判別部１１ｃは、ステップＳ０１に戻り、上記と同様の処理を行う。
【００８５】
また、操作判別部１１ｃは、ステップＳ１１で所定時間が経過したと判別すると（ステップＳ１１；Ｙｅｓ）、上記と同様に、表示部１４を制御し、図１０に示すように、表示部１４の画面に「認証できませんでした」等のエラーメッセージを表示させる（ステップＳ１２）。この場合も、操作データが受信できなかったため、電子錠ＥＬは解錠されない。その後、操作判別部１１ｃは、ステップＳ０１に戻り、上記と同様の処理を行う。
【００８６】
以上、本実施形態によれば、電子錠制御装置１０は、提示した操作内容と、予め記録した携帯端末データ１２ｂに対応する携帯端末２０を用いて行われた操作内容とが一致するか否かの判別結果に従って、電子錠ＥＬを解錠することができる。提示した操作内容は、毎回異なるものであり、また、携帯端末２０を用いて行われた操作の内容は、回線網Ｎを介して携帯端末２０から受信するため、第三者に盗用されるおそれもない。このように、本実施形態に係る電子錠制御装置１０は、従来のものと比べてセキュリティ効果が向上する、という効果を奏する。
【００８７】
なお、本発明に係る携帯端末データ１２ｂに含まれる制御装置位置情報、または、制御装置データ２２ｂに含まれる携帯端末位置情報は、基地局の番号以外のものを用いても良い。例えば、制御装置位置情報または携帯端末位置情報は、それぞれ電子錠制御装置１０及び携帯端末２０に備えられたＧＰＳ受信機やＷｉ−Ｆｉ（ワイファイ（登録商標）：wireless fidelity）受信機等（図示しない）が受信する経度及び緯度、または住所等の情報を用いても良い。
【００８８】
また、操作内容表示部１１ｂは、記憶部１２から読み出した複数の動作データ１２ｃにそれぞれ対応する複数の操作内容を表す画像を、例えば、図１５に示すように、表示部１４の画面を分割してまとめて表示しても良い。
【００８９】
また、電子錠制御装置１０は、屋外設備１０ａに表示部１４の画面前方の画像を撮影する撮像部（図示しない）を設けても良い。電子錠制御装置１０は、利用者Ｍから電子錠ＥＬの解錠要求を受け付けると（操作部１３から操作信号を受け取ると）、撮像部を制御し、表示部１４の画面前方の画像を撮影させ、撮像部が撮影した画像のデータ（撮像データ）を順次、記憶部１２に記録するようにしても良い。
【００９０】
さらに、電子錠制御装置１０は、記憶部に記録された画像データを、位置判別部１１ａが行う判別処理の結果に従って、所定のサーバに送信しても良い。具体的には、ステップＳ０４で行う判別処理において、携帯端末位置情報と制御装置位置情報とが互いに一致しない場合（ステップＳ０４；Ｎｏ）、電子錠ＥＬの解錠を要求した利用者Ｍは、予め記録した携帯端末データ１２ｂに対応する携帯端末２０の所有者ではない人物であり、不審者の可能性がある。そこで、位置判別部１１ａは、携帯端末位置情報と制御装置位置情報とが互いに一致しないと判別した場合（ステップＳ０４；Ｎｏ）、記憶部１２に記録した画像データを、警備会社や警察などが管理する所定のサーバに送信しても良い。
【００９１】
また、利用者Ｍが携帯端末２０を紛失等して、携帯端末２０のサービスが中断されているときに、電子錠ＥＬの解錠要求がされた際、その要求を行った利用者Ｍも不審者の可能性がある。そこで、位置判別部１１ａは、携帯端末２０のサービスが中断しているという理由によって位置応答データを受信できなかったと判別した場合に、上記と同様に、記憶部１２に記録した画像データを、警備会社や警察などが管理する所定のサーバに送信しても良い。この判別は、以下のようにして行う。
【００９２】
例えば、利用者Ｍの連絡によってオペレーションセンターにサービスの中断が申し込まれると、オペレーションセンターが管理するオペレーションサーバには紛失した携帯端末２０に対応する携帯端末データに含まれる利用状況を表す情報に「中断」を示すコード等が記録される。電子錠制御装置１０と携帯端末２０との間で行われる通信は、具体的には、回線網Ｎに接続されたオペレーションサーバを介して行われる。上記のステップＳ０２で電子錠制御装置１０の通信部１５が位置問い合わせデータを回線網Ｎに送信したとき、オペレーションサーバは、位置問い合わせデータに含まれる携帯端末番号（「09087654321」）に対応する携帯端末２０の利用状況を示すコード等を参照する。携帯端末の利用状況を示すコードが、利用状況「中断」を示している場合、オペレーションサーバは、その携帯端末２０のサービスは中断していると判別する。この場合、オペレーションサーバは、問い合わせ先の携帯端末２０がサービス中断中を表すデータを生成し、電子錠制御装置１０に送信する。電子錠制御装置１０は、サービス中断中を表すデータをオペレーションサーバから受信したと判別することにより、携帯端末２０から位置応答データを所定時間受信できないと判別する（ステップＳ０６；Ｙｅｓ）。位置判別部１１ａは、この判別がされると、記憶部１２に記録した画像データを、警備会社や警察などが管理する所定のサーバに送信する。
【００９３】
その他、操作内容の提示は、画像を表示することにより行ったが、音声メッセージを発音することにより行っても良い。また、操作内容は、画像及び音声を組み合わせたものであっても良い。
【００９４】
また、電子錠制御装置１０の操作判別部１１ｃは、携帯端末２０を用いた操作の認証を行った後、さらにその他の認証を行うことにより電子錠ＥＬを制御しても良い。その他の認証としては、例えば、利用者Ｍの指紋認証や声紋認証、利用者Ｍによって予め設定された暗証番号やパスワードを用いた認証等がある。例えば、記憶部１２には、利用者Ｍの指紋情報（画像データ）や声紋情報（音声データ）を予め記録する。操作判別部１１ｃは、携帯端末２０を用いた操作の内容と、操作内容表示部１１ｂが表示した操作の内容とが一致すると判別した場合、利用者Ｍから指紋情報や声紋情報を取得する。そして操作判別部１１ｃは、取得した指紋情報や声紋情報が、予め記憶部１２に記録された利用者Ｍの指紋情報や声紋情報と一致するか否かを判別し、その判別結果に従って、電子錠ＥＬを解錠する制御を行っても良い。また、操作判別部１１ｃは、携帯端末２０を用いた操作の内容と、操作内容表示部１１ｂが表示した操作の内容とが一致しないと判別した場合に、上記の利用者Ｍの指紋認証や声紋認証を用いた認証をさらに行い、これが正常に認証できた場合に、電子錠ＥＬを解錠する制御を行っても良い。なお、暗証番号やパスワードを用いた認証も上記と同様にして行うことができる。
【００９５】
また、電子錠制御装置１０は、電子錠ＥＬの解錠を行うものであったが、電子錠ＥＬの施錠も、上記実施形態と同様にして行うことができる。
【００９６】
なお、上記実施形態のプログラム１２ａ，２２ａは、それぞれ持ち運び可能な記録媒体等に記録されたものでもよい。持ち運び可能な記録媒体には、例えば、ＣＤ−ＲＯＭ（Ｃｏｍｐａｃｔ  Ｄｉｓｋ  Ｒｅａｄ  Ｏｎｌｙ  Ｍｅｍｏｒｙ）等がある。また、プログラム１２ａ，２２ａは、持ち運び可能な記録媒体から各種読取装置を介して、対応する電子錠制御装置１０または携帯端末２０にインストールされたものでも良い。さらに、プログラム１２ａ，２２ａは、インターネット等を介して、対応する電子錠制御装置１０または携帯端末２０にダウンロード及びインストールされたものでもよい。また、プログラム１２ａ，２２ａは、対応する電子錠制御装置１０または携帯端末２０と通信可能なサーバ等の記憶装置に格納されたものでも良い。
【００９７】
また、上記の実施形態の一部又は全部は、以下の付記のようにも記載されうるが、以下には限られない。
【００９８】
（付記１）
携帯端末を用いて行う操作の内容を提示する操作内容提示手段と、
前記携帯端末を用いて行われた操作の内容を含む操作データを、所定の通信回線を介して前記携帯端末から受信し、受信した前記操作データに含まれる前記操作の内容が、前記操作内容提示手段が提示した前記操作の内容と一致するか否かに従って、電子錠を制御する操作判別手段と、を備える、
ことを特徴とする電子錠制御装置。
【００９９】
（付記２）
前記携帯端末の現在位置を含む位置データを、所定の通信回線を介して前記携帯端末から受信し、受信した前記位置データに含まれる前記携帯端末の現在位置が、自身の装置の位置と一致するか否かを判別する位置判別手段をさらに備え、
前記操作内容提示手段は、前記位置判別手段の判別結果に従って、前記携帯端末を用いて行う操作の内容を提示する、
ことを特徴とする付記１に記載の電子錠制御装置。
【０１００】
（付記３）
前記操作の内容を表す提示データと、前記提示データにより表される操作の内容を識別する識別データとを互いに対応付けた動作データを、前記操作の内容毎に、予め記録した動作データ記憶手段を備え、
前記操作内容提示手段は、前記動作データ記憶手段から前記提示データを指定して前記操作の内容を提示するとともに、前記提示データに対応付けられた識別データを保持し、
前記操作判別手段は、前記携帯端末から受信した前記操作データに前記操作内容提示手段が保持した前記識別データが含まれているか否かに従って、前記電子錠を制御する、
ことを特徴とする付記１または２に記載の電子錠制御装置。
【０１０１】
（付記４）
携帯端末と、前記携帯端末を用いて電子錠を制御する電子錠制御装置とを備えた電子錠制御システムであって、
前記携帯端末は、前記携帯端末を用いて行った操作の内容を特定し、特定した前記操作の内容を含む操作データを送信する操作内容特定手段を備え、
前記電子錠制御装置は、
携帯端末を用いて行う操作の内容を提示する操作内容提示手段と、
前記操作データを、所定の通信回線を介して前記携帯端末から受信し、受信した前記操作データに含まれる前記操作の内容が、操作内容提示手段が提示した前記操作の内容と一致するか否かに従って、電子錠を制御する操作判別手段と、を備える、
ことを特徴とする電子錠制御システム。
【０１０２】
（付記５）
携帯端末を用いて行う操作の内容を提示する操作内容提示ステップと、
前記携帯端末を用いて行われた操作の内容を含む操作データを、所定の通信回線を介して前記携帯端末から受信し、受信した前記操作データに含まれる前記操作の内容が、前記操作内容提示ステップで提示した前記操作の内容と一致するか否かに従って、電子錠を制御する操作判別ステップと、を有する、
ことを特徴とする電子錠制御方法。
【０１０３】
（付記６）
コンピュータに、
携帯端末を用いて行う操作の内容を提示する操作内容提示手順と、
前記携帯端末を用いて行われた操作の内容を含む操作データを、所定の通信回線を介して前記携帯端末から受信し、受信した前記操作データに含まれる前記操作の内容が、前記操作内容提示手順で提示した前記操作の内容と一致するか否かに従って、電子錠を制御する操作判別手順と、を実行させる、
ことを特徴とするプログラム。
【０１０４】
その他、本発明は、上記実施形態の説明及び図面によって限定されるものではなく、上記実施形態及び図面に適宜変更等を加えることは可能である。
【符号の説明】
【０１０５】
１  電子錠制御システム
１０  電子錠制御装置
１０ａ  屋外設備
１０ｂ  屋内設備
１１  制御部
１１ａ  位置判別部（位置判別手段）
１１ｂ  操作内容表示部（操作内容提示手段）
１１ｃ  操作判別部（操作判別手段）
１２  記憶部
１２ａ  プログラム
１２ｂ  携帯端末データ
１２ｃ  動作データ
１３  操作部
１４  表示部
１５  通信部
１６  電子錠駆動部
２０  携帯端末
２１  制御部
２１ａ  操作内容特定部
２２  記憶部
２２ａ  プログラム
２２ｂ  制御装置データ
２２ｃ  動作データ
２３  操作部
２４  表示部
２５  通信部
２６  センサ部
Ｎ  回線網
Ｍ  利用者
ＥＬ  電子錠
Ｄ  ドア
【図１】
2012237158.tif 000003
【図２】
2012237158.tif 000004
【図３】
2012237158.tif 000005
【図４】
2012237158.tif 000006
【図５】
2012237158.tif 000007
【図６】
2012237158.tif 000008
【図７】
2012237158.tif 000009
【図８】
2012237158.tif 000010
【図９】
2012237158.tif 000011
【図１０】
2012237158.tif 000012
【図１１】
2012237158.tif 000013
【図１２】
2012237158.tif 000014
【図１３】
2012237158.tif 000015
【図１４】
2012237158.tif 000016
【図１５】
2012237158.tif 000017